(57)【要約】【課題】現在視聴中の番組に関する情報を速やかにユーザに提示することができるようにする。【解決手段】デジタルテレビ受信機は、デジタルテレビジョン放送を受信するテレビ受信機能とインターネットを介してＷｅｂサーバにアクセスして情報を取得するブラウザ機能とを有する。制御部１０は、デジタルテレビジョン放送による番組の視聴中にブラウザ機能により取得された情報の提供元を示すＵＲＬを視聴中の番組と対応付けて登録ＵＲＬデータ１２ａにより記憶する。制御部１０は、登録ＵＲＬデータ１２ａに記憶されたＵＲＬと対応付けられた番組の視聴が開始された際に、当該番組と対応付けて記憶されたＵＲＬをもとにＷｅｂサーバより情報を先読みして取得しておく。そして、ブラウザ機能により情報を取得するためにＵＲＬが指定された場合に、この指定されたＵＲＬに対応する情報が先読みされていれば、改めてＷｅｂサーバにアクセスすることなく先読みされた情報を出力する。【選択図】図２
2006279758.tif 000002
【特許請求の範囲】
【請求項１】
デジタルテレビジョン放送を受信するテレビ受信機能とインターネットを介してＷｅｂサーバにアクセスして情報を取得するブラウザ機能とを有する電子機器であって、
前記デジタルテレビジョン放送による番組の視聴中に前記ブラウザ機能により取得された情報の提供元を示すＵＲＬ（uniform resource locator）を視聴中の番組と対応付けて記憶する記憶手段と、
前記記憶手段に記憶されたＵＲＬと対応付けられた番組の視聴が開始された際に、当該番組と対応付けて前記記憶手段により記憶されたＵＲＬをもとに前記Ｗｅｂサーバより情報を取得する情報取得手段と、
前記ブラウザ機能により情報を取得するためにＵＲＬが指定された場合に、この指定されたＵＲＬをもとに前記情報取得手段により取得された情報を出力する情報出力手段と
を具備したことを特徴とする電子機器。
【請求項２】
前記記憶手段は、前記情報を取得するために前記Ｗｅｂサーバにアクセスしていた時間が予め設定された一定時間以上であった場合に、前記情報に対応するＵＲＬを記憶することを特徴とする請求項１記載の電子機器。
【請求項３】
前記Ｗｅｂサーバから取得される情報は他の情報とリンクが設定されており、
前記記憶手段は、前記Ｗｅｂサーバにアクセスして取得された情報が、前記他の情報に対して設定されたリンクの起点となっている場合に、前記情報に対応するＵＲＬを記憶することを特徴とする請求項１または請求項２記載の電子機器。
【請求項４】
前記記憶手段は、１つの番組と対応付けて複数の異なるＵＲＬを記憶することを特徴とする請求項１乃至３の何れかに記載の電子機器。
【請求項５】
デジタルテレビジョン放送を受信するテレビ受信機能とインターネットを介してＷｅｂサーバにアクセスして情報を取得するブラウザ機能とを有するコンピュータを、
前記デジタルテレビジョン放送による番組の視聴中に前記ブラウザ機能により取得された情報の提供元を示すＵＲＬを視聴中の番組と対応付けて記憶する記憶手段と、
前記記憶手段に記憶されたＵＲＬと対応付けられた番組の視聴が開始された際に、当該番組と対応付けて前記記憶手段により記憶されたＵＲＬをもとに前記Ｗｅｂサーバより情報を取得する情報取得手段と、
前記ブラウザ機能により情報を取得するためにＵＲＬが指定された場合に、この指定されたＵＲＬをもとに前記情報取得手段により取得された情報を出力する情報出力手段として機能させるための番組関連データ管理プログラム。
【発明の詳細な説明】
【技術分野】
【０００１】
本発明は、デジタルテレビジョン放送を受信するテレビ受信機能とネットワークを介して情報提供するサーバにアクセスするネットワーク接続機能とを有する電子機器、同機器で実行される番組関連データ管理プログラムに関する。
【背景技術】
【０００２】
近年では、インターネットの普及にともない、テレビジョン放送されている番組に関する情報をインターネット上に開設したホームページ（Ｗｅｂページ）から提供する場合が増えてきている。この場合、番組放送中にホームページの所在場所を示すＵＲＬ（uniform resource locator）の告知などが行われる。
【０００３】
また、番組内で告知されたホームページだけでなく、番組に関係する情報を提供しているホームページをユーザが独自に検索し、このホームページにアクセスして情報を取得する場合も多い。
【０００４】
従来では、デジタルテレビジョン放送において、番組放送中に告知されたホームページのＵＲＬや電子メールアドレスを容易に且つ正確に取得し、保存することができるようにしたテレビジョン放送受信装置が考えられている（例えば特許文献１）。
【０００５】
特許文献１に記載されたテレビジョン放送受信装置では、デジタルテレビジョン放送の受信データに含まれる番組名データとインターネットに関するアドレスのデータとを取り込み、この番組名データとアドレスのデータとを対で格納し、インターネットに関するアドレスをいつでも見ることができるようにしている。
【特許文献１】特開２００４−１０４６４０号公報
【発明の開示】
【発明が解決しようとする課題】
【０００６】
このように特許文献１に記載されたテレビジョン放送受信装置では、番組放送中に告知されたＵＲＬについて番組名データと対にして格納しておくことができるので、この格納されたＵＲＬによりホームページにアクセスすることができる。
【０００７】
しかしながら、特許文献１では、番組名とＵＲＬとを対にして記憶することで、いつでも見ることができるようになるだけで、ホームページから情報を取得するためには格納されたＵＲＬを用いて、例えばパーソナルコンピュータなどからホームページにアクセスして情報を取得する作業をしなければならない。従って、ユーザは、現在視聴中の番組に関する情報を必要とする場合であっても、この情報を直ぐに取得することができなかった。
【０００８】
また、特許文献１では、番組内で告知されたホームページのＵＲＬが格納されるだけであって、ユーザが独自に番組に関係する情報を提供しているホームページを検索した場合には、このホームページのＵＲＬについてはユーザが独自に記憶させておかなければならなかった。この場合も現在視聴中の番組に関する情報を必要とする場合であっても、記憶されておいたＵＲＬを用いて改めてホームページにアクセスして情報を取得しなければならないため、直ぐに取得することができなかった。
【０００９】
本発明の課題は、現在視聴中の番組に関する情報を速やかにユーザに提示することができる電子機器、番組関連データ管理プログラムを提供することにある。
【課題を解決するための手段】
【００１０】
請求項１記載の発明は、デジタルテレビジョン放送を受信するテレビ受信機能とインターネットを介してＷｅｂサーバにアクセスして情報を取得するブラウザ機能とを有する電子機器であって、前記デジタルテレビジョン放送による番組の視聴中に前記ブラウザ機能により取得された情報の提供元を示すＵＲＬを視聴中の番組と対応付けて記憶する記憶手段と、前記記憶手段に記憶されたＵＲＬと対応付けられた番組の視聴が開始された際に、当該番組と対応付けて前記記憶手段により記憶されたＵＲＬをもとに前記Ｗｅｂサーバより情報を取得する情報取得手段と、前記ブラウザ機能により情報を取得するためにＵＲＬが指定された場合に、この指定されたＵＲＬをもとに前記情報取得手段により取得された情報を出力する情報出力手段とを具備したことを特徴とする。
【００１１】
請求項２記載の発明は、請求項１記載の発明において、前記記憶手段は、前記情報を取得するために前記Ｗｅｂサーバにアクセスしていた時間が予め設定された一定時間以上であった場合に、前記情報に対応するＵＲＬを記憶することを特徴とする。
【００１２】
請求項３記載の発明は、請求項１または請求項２記載の発明において、前記Ｗｅｂサーバから取得される情報は他の情報とリンクが設定されており、
前記記憶手段は、前記Ｗｅｂサーバにアクセスして取得された情報が、前記他の情報に対して設定されたリンクの起点となっている場合に、前記情報に対応するＵＲＬを記憶することを特徴とする。
【００１３】
請求項４記載の発明は、請求項１乃至３の何れかに記載の発明において、前記記憶手段は、１つの番組と対応付けて複数の異なるＵＲＬを記憶することを特徴とする。
【００１４】
請求項５記載の発明は、デジタルテレビジョン放送を受信するテレビ受信機能とインターネットを介してＷｅｂサーバにアクセスして情報を取得するブラウザ機能とを有するコンピュータを、前記デジタルテレビジョン放送による番組の視聴中に前記ブラウザ機能により取得された情報の提供元を示すＵＲＬを視聴中の番組と対応付けて記憶する記憶手段と、前記記憶手段に記憶されたＵＲＬと対応付けられた番組の視聴が開始された際に、当該番組と対応付けて前記記憶手段により記憶されたＵＲＬをもとに前記Ｗｅｂサーバより情報を取得する情報取得手段と、前記ブラウザ機能により情報を取得するためにＵＲＬが指定された場合に、この指定されたＵＲＬをもとに前記情報取得手段により取得された情報を出力する情報出力手段として機能させることを特徴とする。
【発明の効果】
【００１５】
請求項１，５記載の発明によれば、番組の視聴中にブラウザ機能によりＷｅｂサーバから取得された情報（Ｗｅｂ情報）については、次に同じ番組を視聴する場合にもユーザにより要求される可能性が高いため、情報の提供元を示すＵＲＬを番組と対応付けて記憶することにより、次に同じ番組の視聴が開始された際に、ユーザから指定される前に先に記憶されたＵＲＬをもとに事前に情報を取得しておくことができるので、実際にユーザからＵＲＬの指定により情報の取得が指定された場合に速やかに情報を提供することができる。
【００１６】
請求項２記載の発明によれば、請求項１の発明の効果に加えて、情報を取得するためにＷｅｂサーバにアクセスしていた時間が予め設定された一定時間以上であった場合に、この情報が実際にユーザにとって有用な情報であると判別することができるので、この情報についてのＵＲＬを記憶することで、ユーザが必要としていない情報のＵＲＬが不用意に記憶されないようにできる。
【００１７】
請求項３記載の発明によれば、請求項１または請求項２の発明の効果に加えて、Ｗｅｂサーバにアクセスして取得された情報が、他の情報に対して設定されたリンクの起点となっている場合に、この情報についてのＵＲＬを記憶しておくことにより、Ｗｅｂサーバにアクセスして取得された全ての情報についてのＵＲＬを記憶しておく必要がなくなり、この記憶されたＵＲＬをもとにして情報を取得するための処理負担を軽減でき、またリンクの起点となっている重要な情報を対象として先読みすることができる。
【００１８】
請求項４記載の発明によれば、請求項１乃至３の何れかの発明の効果に加えて、１つの番組と対応付けて複数の異なるＵＲＬを記憶しておくことで、番組に関連する複数の情報について先読みしておくことができるので、ユーザからの情報取得の指定に確実に対応することができる。
【発明を実施するための最良の形態】
【００１９】
以下、図面を参照して本発明の実施の形態について説明する。
【００２０】
図１は、本実施形態におけるデジタル放送システムの構成を示すブロック図である。本実施形態では、地上波デジタルテレビ放送を例にして説明する。
【００２１】
図１中に示すデジタルテレビ受信機１（電子機器）は、放送局２から送信されたデジタルテレビ放送を受信して放送番組の映像や音声を出力するテレビ受信機能が設けられている。また、デジタルテレビ受信機１には、インターネット３を介してＷｅｂサーバ４にアクセスして情報を取得するブラウザ機能が設けられているものとする。従って、デジタルテレビ受信機１では、デジタル放送による番組の視聴中に、ブラウザ機能によりインターネット３を介してＷｅｂサーバ４から情報を取得することができる。
【００２２】
放送局２は、地上波デジタルテレビジョン放送を送信するもので、複数チャンネルの番組データを送信する。
【００２３】
テレビジョン放送信号（放送波）には、例えば放送番組についての映像信号、音声信号、字幕・文字スーパー信号の他、付加情報としてデータ信号が多重されている。データ信号には、放送番組とは別に表示出力することができる文字データや図形データの他、放送番組のスケジュール等を示す番組情報、いわゆるＥＰＧデータが含まれている。この番組情報は、例えば番組タイトルや、番組をジャンル別に分類するのに必要な番組ジャンル情報、番組の開始終了時刻情報（時間帯）、放送事業者番号情報（伝送チャンネル情報）、有料放送等の放送サービス形態を示す情報、番組のシリーズ情報及び番組の視聴可能な制限年齢情報等のデータが含まれている。
【００２４】
デジタルテレビ受信機１は、公衆回線網（有線、無線）やケーブルネットワークなどの各種ネットワーク、図示せぬインターネットサービスプロバイダを通じて、インターネット３と接続することができる。
【００２５】
デジタルテレビ受信機１は、インターネット３を通じて、例えばＷｅｂサーバ４にアクセスして、Ｗｅｂサーバ４が提供するホームページ（Ｗｅｂページ）からの情報を入力することができる。
【００２６】
Ｗｅｂサーバ４は、各種情報をＷｅｂページを通じて提供するもので、例えば放送局２により放送される番組に関係する情報を提供する。Ｗｅｂサーバ４により提供される情報は、同一のＷｅｂサーバで提供される情報間、あるいは別のＷｅｂサーバが提供する情報との間でリンクが設定されている。デジタルテレビ受信機１は、ブラウザ機能により何れかのＷｅｂサーバ４にアクセスして情報（Ｗｅｂページ）を閲覧している際に、このページに設定されたリンク先を指定することで、リンク先の情報にアクセスすることができる。
【００２７】
図２は、本実施形態におけるデジタルテレビ受信機１（電子機器）の構成を示すブロック図である。  
デジタルテレビ受信機１は、例えば一般的な家庭用のテレビ装置の他、自動車搭載用テレビ機器、テレビ受信機能付きＰＤＡ（personal digital assistant）あるいはパーソナルコンピュータ、テレビ受信機能付き携帯電話機などに構成することができる。
【００２８】
図２に示すように、本実施形態におけるデジタルテレビ受信機１には、制御部１０、メモリ１２、入力部１４、ネットワーク処理部１６、デジタル放送受信部１８、受信アンテナ２０、画像処理部２２、表示部２４、音声処理部２６、及びスピーカ２８が設けられている。
【００２９】
制御部１０は、例えばＣＰＵによりメモリ１２に記憶された各種プログラムを実行することでデジタルテレビ受信機１全体の制御を司るもので、入力部１４からの入力制御、画像処理部２２による表示制御、音声処理部２６による音声出力制御、デジタル放送受信部１８における選局制御などによるテレビ受信機能を機能させると共に、ブラウザプログラムを実行することで、インターネット３を介してＷｅｂサーバ４にアクセスして情報を取得する（Ｗｅｂページへアクセス）ブラウザ機能を機能させることができる。
【００３０】
メモリ１２には、制御部１０により実行される各種のプログラムやデータが記憶されるもので、例えばテレビ受信機能やブラウザ機能を実現するためのプログラムの他、後述する本実施形態における処理を実現するための番組関連データ管理プログラムなどが記憶される。メモリ１２には、番組の視聴中にブラウザ機能によりＷｅｂサーバ４にアクセスすることでＷｅｂページ（Ｗｅｂ情報）が取得された場合に、このＷｅｂページのＵＲＬと現在視聴中の番組に関する情報とを対応付けて登録するための登録ＵＲＬデータ１２ａが記憶される（詳細については後述する（図３））。また、メモリ１２には、ブラウザ機能によりＷｅｂサーバ４から取得したＷｅｂ情報が一時的に記憶され、必要に応じて読み出されて表示される。
【００３１】
入力部１４は、デジタルテレビ受信機１を制御するための指示を入力するためのもので、テレビ受信機能を制御するための電源ボタン、ボリュームボタン、カーソルボタン、数字ボタンなどの複数のボタンの他、ブラウザ機能を使用する際に使用されるキーボードやマウスなどが含まれるものとする。
【００３２】
ネットワーク処理部１６は、制御部１０の制御のもとで、インターネットサービスプロバイダ（図示せず）及びインターネット３を介して、Ｗｅｂサーバ４などの情報機器との間の通信を制御する。
【００３３】
デジタル放送受信部１８は、デジタルテレビジョン放送を受信するもので、チューナが設けられ、受信アンテナ２０により誘起されたテレビジョン信号が入力される。デジタル放送受信部１８は、テレビジョン信号に含まれる番組情報などに関するデータを分離して制御部１０に出力する。制御部１０は、デジタル放送受信部１８を通じて取得される番組情報をメモリ１２に一時記憶しておく。
【００３４】
画像処理部２２は、デジタル放送受信部１８のチューナで選局された出力信号について、指定チャンネルの番組の映像を表示するのに必要な信号処理（復調処理等）を施すことにより、ＲＧＢ信号に変換し、変換したＲＧＢ信号を表示部２４に与える。また、画像処理部２２は、制御部１０により生成される各種の表示画面データをもとに、表示部２４において番組の映像と重ね合わせるなどして表示させる。
【００３５】
音声処理部２６は、デジタル放送受信部１８のチューナで選局された出力信号について、分離された音声信号によって音声を再生するのに必要な信号処理や増幅処理等を施し、スピーカ２８から出力させる。
【００３６】
図３には、メモリ１２に記憶される登録ＵＲＬデータ１２ａの構成の一例について示している。登録ＵＲＬデータ１２ａでは、番組情報に含まれる例えば番組名、ジャンル、チャンネル（伝送チャンネル情報）、時間帯などの各データと対応付けて、この番組情報が示す番組の視聴中にブラウザ機能によりアクセスされたＷｅｂページ（Ｗｅｂ情報）を示すＵＲＬが設定されている。図３に示すように、１つの番組に対して、複数のＵＲＬを対応付けて設定しておくことができる。また、各ＵＲＬについて、このＵＲＬが示すＷｅｂページにアクセスした回数を示す閲覧回数データも記憶される。
【００３７】
次に、本実施形態におけるデジタルテレビ受信機１の動作について、フローチャートを参照しながら説明する。
【００３８】
まず、デジタルテレビ受信機１の全体の処理動作について、図４に示すフローチャートを参照しながら説明する。
【００３９】
デジタルテレビ受信機１は、入力部１４の電源ボタンに対する操作により電源オンされる（ステップＡ１）。電源オンされると、制御部１０は、指定チャンネルの番組データの受信をデジタル放送受信部１８により開始させる（ステップＡ２）。
【００４０】
一方、制御部１０は、Ｗｅｂ情報取得処理を実行する（ステップＡ３）。このＷｅｂ情報取得処理は、視聴対象としている番組に対応して、視聴登録ＵＲＬデータ１２ａにＵＲＬが登録されている場合に、このＵＲＬをもとにしてＷｅｂサーバ４にアクセスしてＷｅｂ情報を取得するための処理である。Ｗｅｂ情報取得処理の詳細については後述する（図５、図６）。
【００４１】
制御部１０は、デジタル放送受信部１８により受信された番組データをもとに、この番組についての映像を画像処理部２２を通じて表示部２４により表示させると共に、音声を音声処理部２６を通じてスピーカ２８から出力させる（ステップＡ４）。これにより、ユーザは、指定チャンネルの番組を視聴することができる。
【００４２】
ここで、ユーザは、入力部１４の数字ボタンなどの操作によりチャンネルを指定して、視聴対象とする番組を変更することができる。制御部１０は、入力部１４を通じてチャンネル変更が指示されると（ステップＡ５、Ｙｅｓ）、指定チャンネルの番組データの受信をデジタル放送受信部１８により開始させる（ステップＡ２）。
【００４３】
こうして、チャンネルが変更されることで視聴対象とする番組が変更された場合には、この変更された番組を対象としたＷｅｂ情報取得処理を実行する（ステップＡ３）。
【００４４】
また、視聴中の番組が終了して、別の番組に切り替わった場合には（ステップＡ６、Ｙｅｓ）、制御部１０は、この切り替わった番組を対象としたＷｅｂ情報取得処理を実行する（ステップＡ３）。
【００４５】
すなわち、視聴対象とする番組が変更される都度、Ｗｅｂ情報取得処理を実行することになる。
【００４６】
一方、番組の視聴中に入力部１４に対する操作によりブラウザ機能の実行がユーザにより指示された場合、制御部１０は、ブラウザプログラムを起動してブラウザ処理を開始する（ステップＡ７，Ａ８）。このブラウザ処理では、アクセス対象として指定されるＵＲＬに対応するＷｅｂ情報を取得して出力するもので、Ｗｅｂサーバ４にアクセスしてＷｅｂ情報を取得するか、あるいは登録ＵＲＬデータ１２ａに登録されたＵＲＬをもとにしてＷｅｂ情報取得処理により取得されたＷｅｂ情報を出力する。ブラウザ処理の詳細については後述する（図７、図８）。
【００４７】
制御部１０は、入力部１４の電源ボタンに対する操作により、電源オフが指示されるまで（ステップＡ９）、前述したように、指定チャンネルの番組の出力を継続する（ステップＡ４〜Ａ９）。
【００４８】
次に、ステップＡ３におけるＷｅｂ情報取得処理について、図５に示すフローチャートを参照しながら説明する。
【００４９】
まず、Ｗｅｂ情報取得処理では、チャンネルの変更、あるいは番組の切り替えにより変更となった視聴対象とする番組に対応付けて、ＵＲＬが登録ＵＲＬデータ１２ａに登録されているかをチェックするための登録ＵＲＬチェック処理を実行する（ステップＢ１）。
【００５０】
図６は、登録ＵＲＬチェック処理を説明するためのフローチャートである。
【００５１】
登録ＵＲＬチェック処理では、現在視聴対象としている番組についての番組情報、例えば番組名、ジャンル、チャンネル、時間帯などの情報を取得する（ステップＣ１）。なお、番組情報は、デジタル放送受信部１８により現在視聴中の番組データから分離されてメモリ１２に記憶されている。
【００５２】
ここで、現在視聴中の番組情報が登録ＵＲＬデータ１２ａに登録されている場合に、この番組と対応付けてＵＲＬが登録されているか判断する（ステップＣ２）。すなわち、以前に、この番組を視聴中にブラウザ機能によりＷｅｂサーバ４にアクセスしてＷｅｂ情報を取得したことがあるかを判断する。
【００５３】
ここで、番組情報と対応付けてＵＲＬが登録されていた場合（ステップＣ３、Ｙｅｓ）、制御部１０は、このＵＲＬを登録ＵＲＬデータ１２ａから読み出す（ステップＣ４）。
【００５４】
なお、登録ＵＲＬチェック処理によって登録ＵＲＬデータ１２ａからＵＲＬが取得できなかった場合には、現在視聴中の番組に関するＷｅｂ情報の先読みを実行できないためＷｅｂ情報取得処理を終了する。
【００５５】
登録ＵＲＬチェック処理により登録ＵＲＬデータ１２ａから現在視聴中の番組と対応付けられたＵＲＬが取得されると、制御部１０は、このＵＲＬをもとにブラウザ機能を利用して、インターネット３を介してＷｅｂサーバ４にアクセスし、ＵＲＬが示すＷｅｂ情報（Ｗｅｂページ）を取得する（ステップＢ２，Ｂ３）。制御部１０は、ここで取得されたＷｅｂ情報をメモリ１２に一時記憶（キャッシュ保存）しておく（ステップＢ４）。
【００５６】
なお、登録ＵＲＬデータ１２ａに１つの番組に対して複数のＵＲＬが登録されていた場合には、前述した処理を各ＵＲＬについて実行することで、各ＵＲＬに対応するＷｅｂ情報を取得してメモリ１２に一時記憶しておくものとする。
【００５７】
ここで、メモリ１２に一時記憶されたＷｅｂ情報は、後述するブラウザ処理において、対応するＵＲＬがアクセス先として指定された場合に読み出されて出力される。
【００５８】
次に、ステップＡ８におけるブラウザ処理について、図７に示すフローチャートを参照しながら説明する。
【００５９】
まず、ブラウザ処理では、Ｗｅｂ情報を表示するためのブラウザ初期画面を、画像処理部２２により表示部２４において表示させる（ステップＤ１）。
【００６０】
ここで、アクセス先とするＵＲＬがユーザにより指定されると（ステップＤ２、Ｙｅｓ）、制御部１０は、この指定されたＵＲＬに対応するＷｅｂ情報が、Ｗｅｂ情報取得処理により先読みされてメモリ１２に記憶されているかを判別する。
【００６１】
ここで、指定されたＵＲＬに対応するＷｅｂ情報がメモリ１２に既に記憶されている場合（ステップＤ３、Ｙｅｓ）、制御部１０は、このＷｅｂ情報をメモリ１２から読み出して表示部２４において表示させる（ステップＤ６）。また、制御部１０は、登録ＵＲＬデータ１２ａに記憶されている、表示されたＷｅｂ情報に対応するＵＲＬの閲覧回数データを更新する（１加算する）。
【００６２】
一方、Ｗｅｂ情報取得処理により先読みされたＷｅｂ情報がメモリ１２に記憶されていない場合には（ステップＤ３、Ｎｏ）、制御部１０は、ネットワーク処理部１６によりインターネット３に接続し、ＵＲＬが示すＷｅｂサーバ４が提供するＷｅｂ情報（Ｗｅｂページ）にアクセスして、このＷｅｂ情報を表示部２４において表示させる（ステップＤ４）。
【００６３】
ここで、番組の視聴中にブラウザ機能により取得されたＷｅｂ情報のＵＲＬを、視聴中の番組と対応付けて登録ＵＲＬデータ１２ａに登録するための新規ＵＲＬ登録処理を実行する（ステップＤ５）。
【００６４】
図８は、新規ＵＲＬ登録処理を説明するためのフローチャートである。
【００６５】
新規ＵＲＬ登録処理では、新規にＷｅｂサーバ４にアクセスして取得されたＷｅｂ情報のＵＲＬを逐次登録するようにしても良いが、登録ＵＲＬデータ１２ａに１つの番組に対して多数のＵＲＬを登録してしまうと、Ｗｅｂ情報取得処理（図５）において、多数のＷｅｂ情報を先読みしなければならなくなる。
【００６６】
そこで、本実施形態における新規ＵＲＬ登録処理では、現在表示されているＷｅｂ情報のＵＲＬを登録するか否かを判別するための処理を実行する。
【００６７】
まず、制御部１０は、Ｗｅｂ情報が表示されてからの表示時間、すなわち現在表示中のＷｅｂ情報を取得するためにＷｅｂサーバ４にアクセスしている時間の測定を実行する（ステップＥ１）。ここで、測定された時間が予め設定された一定時間、例えば５分間以上となった場合、制御部１０は、このＷｅｂ情報に対応するＵＲＬを登録ＵＲＬデータ１２ａに番組情報と対応づけて登録する（ステップＥ２）。
【００６８】
つまり、一定時間以上、Ｗｅｂサーバ４にアクセスしてＷｅｂ情報（Ｗｅｂページ）を閲覧している場合には、このＷｅｂ情報がユーザにとって有用であり、次回に同じ番組を視聴する際にもアクセスされる可能性が高いものと判定して登録しておく。なお、ＵＲＬを登録ＵＲＬデータ１２ａにＵＲＬを新規登録した場合、このＵＲＬに対応する閲覧回数データを初期値１に設定する。
【００６９】
また、一定時間以上、閲覧されていないＷｅｂ情報であっても、このＷｅｂ情報が他のＷｅｂ情報に対して設定されたリンクの起点となっているかを判断する（ステップＥ３）。
【００７０】
制御部１０は、起点となっているＷｅｂ情報であると判断された場合には、このＷｅｂ情報に対応するＵＲＬを登録ＵＲＬデータ１２ａに番組情報と対応づけて登録する（ステップＥ４）。
【００７１】
なお、起点となるＷｅｂ情報とは、例えばユーザがあるＷｅｂ情報（Ｗｅｂページ）を閲覧してから、このＷｅｂ情報にリンクされた他のＷｅｂ情報にジャンプした後、元のＷｅｂ情報に戻り、再度、別のリンクされた他のＷｅｂ情報にジャンプするといったアクセスがされた場合に、はじめにアクセスしていたＷｅｂ情報を起点となるＷｅｂ情報として判別する。
【００７２】
ここでは、前述したような、リンクされたＷｅｂ情報間のジャンプ（いわゆるネットサーフィン）がされたことを判別して起点となるＷｅｂ情報を判別しても良いし、またＵＲＬの記述に含まれるディレクトリ名を参照して、ルートを表すディレクトリ名を持つＵＲＬである場合に起点となるＷｅｂ情報と判定しても良い。
【００７３】
こうして、他のＷｅｂ情報に対して設定されたリンクの起点となっているＷｅｂ情報についてのＵＲＬを記憶しておくことにより、Ｗｅｂサーバ４にアクセスして取得された全てのＷｅｂ情報についてのＵＲＬを登録ＵＲＬデータ１２ａに登録しておく必要がなくなるので、Ｗｅｂ情報取得処理において登録ＵＲＬデータ１２ａに登録されたＵＲＬをもとにしてＷｅｂ情報を取得するための処理負担を軽減でき、またリンクの起点となっている重要な情報を対象として先読みすることができる。
【００７４】
こうして、新規ＵＲＬ登録処理が終了した後は、ブラウザ処理の終了が指示されるまで、前述したように、ユーザにより指定されたＵＲＬに応じてＷｅｂ情報を取得するための処理を実行する（図７、ステップＤ７）。
【００７５】
なお、前述した説明では、ブラウザ処理において（図７、図８）、登録ＵＲＬデータ１２ａに対して番組情報とＵＲＬとを登録する場合について説明しているが、登録ＵＲＬデータ１２ａから登録が不要なＵＲＬを判別して削除するようにしても良い。
【００７６】
例えば、各ＵＲＬに対応して更新されている閲覧回数データが、最初に登録されてから一定期間内に所定回数に到達しなかった場合、最後にアクセスされてからの経過時間が所定期間を越えた場合などについては、該当するＵＲＬが不要であるものとして削除する。また、１つの番組に対応付けて登録が可能なＵＲＬの数に制限を設け、新たなＵＲＬを登録することで制限を越える場合に、前述した条件に該当するＵＲＬを削除するようにしても良い。
【００７７】
このように、不要なＵＲＬを判別して削除することで、Ｗｅｂ情報取得処理により取得するＷｅｂ情報を、ユーザが要求する可能性の高いものに限定することができるので、Ｗｅｂ情報を取得するための処理負担を軽減することができる。
【００７８】
このようにして、本実施形態におけるデジタルテレビ受信機１では、番組の視聴中にブラウザ機能によりＷｅｂサーバ４から取得されたＷｅｂ情報については、次に同じ番組を視聴する場合にもユーザにより要求される可能性が高いため、Ｗｅｂ情報の提供元を示すＵＲＬを番組と対応付けて登録ＵＲＬデータ１２ａとして記憶しておく。これにより、次に同じ番組の視聴が開始された際に、ユーザからＵＲＬが指定される前に、先に登録ＵＲＬデータ１２ａに登録されたＵＲＬをもとに、Ｗｅｂ情報取得処理によって事前に該当するＷｅｂ情報を取得しておくことができる。そして、実際にユーザからアクセス対象とするＵＲＬが指定された際に、このＵＲＬに対応するＷｅｂ情報がＷｅｂ情報取得処理により先読みされてメモリ１２に一時記憶されている場合には、このＷｅｂ情報を表示に供することにより、改めてインターネット３を介してＷｅｂサーバ４から取得する場合よりも速やかにＷｅｂ情報をユーザに対して提供することができる。
【００７９】
なお、前述した説明では、番組の視聴を開始する度にＷｅｂサーバ４にアクセスしてＷｅｂ情報を取得し、メモリ１２に一時記憶しているが、Ｗｅｂ情報の一時記憶先をハードディスク装置など不揮発性の比較的大容量の記憶装置とし、視聴対象とする番組が変更された後もＷｅｂ情報を消さずに記憶しておくようにしても良い。これにより、チャンネルが頻繁に変更されて視聴対象とする番組が変更された場合に、その切り替えの度にＷｅｂサーバ４にアクセスしてＷｅｂ情報を取得しなくても済む。
【００８０】
また、デジタルテレビ受信機１に搭載されるコンピュータに実行させることのできる番組関連データ管理プログラムを、例えば磁気ディスク（フレキシブルディスク、ハードディスク等）、光ディスク（ＣＤ−ＲＯＭ、ＤＶＤ等）、半導体メモリなどの記録媒体に書き込んで、あるいは通信媒体を通じて提供することができる。番組関連データ管理プログラムによりコンピュータの動作を制御することで、前述した実施形態における機能を実現することができる。
【図面の簡単な説明】
【００８１】
【図１】本発明の実施の形態におけるデジタル放送システムの構成を示すブロック図。
【図２】本実施形態におけるデジタルテレビ受信機１（電子機器）の構成を示すブロック図。
【図３】本実施形態におけるメモリ１２に記憶される登録ＵＲＬデータ１２ａの構成の一例について示す図。
【図４】本実施形態におけるデジタルテレビ受信機１の全体の処理動作について説明するためのフローチャート。
【図５】本実施形態におけるＷｅｂ情報取得処理について説明するためのフローチャート。
【図６】本実施形態における登録ＵＲＬチェック処理を説明するためのフローチャート。
【図７】本実施形態におけるブラウザ処理について説明するためのフローチャート。
【図８】本実施形態における新規ＵＲＬ登録処理を説明するためのフローチャート。
【符号の説明】
【００８２】
１…デジタルテレビ受信機、２…放送局、３…インターネット、４…Ｗｅｂサーバ、１０…制御部、１２…メモリ、１２ａ…登録ＵＲＬデータ、１４…入力部、１６…ネットワーク処理部、１８…デジタル放送受信部、２０…受信アンテナ、２２…画像処理部、２４…表示部、２６…音声処理部、２８…スピーカ。
【図１】
2006279758.tif 000003
【図２】
2006279758.tif 000004
【図３】
2006279758.tif 000005
【図４】
2006279758.tif 000006
【図５】
2006279758.tif 000007
【図６】
2006279758.tif 000008
【図７】
2006279758.tif 000009
【図８】
2006279758.tif 000010